(57)【要約】【課題】簡単な操作で封止することができ、その封止操作を繰り返して行っても当初と同じように何度でも封止することができる包装袋を提供する。【解決手段】内面にシーラント層を積層した包装材を製袋して作成され、少なくとも左右両側辺のサイドシール部１４を有しする包装袋であって、表面側又は裏面側のいずれか一方の外面の上辺より内側の位置に左右のサイドシール部１４に跨がる突出片１３が設けられており、突出片１３の根元を基点として本体部分Ｈに対し折返し部分Ｃを突出片１３と反対側に折り返すことで封止が可能であり、折り返したときに対向する折返し部分Ｃと本体部分Ｈの何れか一方に互いを係止するための粘着手段が設けられている。【選択図】図１
2013230858.tif 000002
【特許請求の範囲】
【請求項１】
内面にシーラント層を積層した包装材を製袋して作成され、少なくとも左右両側辺のサイドシール部を有する包装袋であって、表面側又は裏面側のいずれか一方の外面の上辺より内側の位置に左右のサイドシール部に跨がる突出片が設けられており、突出片から下方を本体部分、突出片から上方を折返し部分とし、折返し部分が開口した状態で、突出片の根元を基点として本体部分に対し折返し部分を突出片と反対側に折り返すことで封止が可能であり、折り返したときに対向する折返し部分と本体部分の何れか一方に互いを係止するための粘着手段が設けられていることを特徴とする包装袋。
【発明の詳細な説明】
【技術分野】
【０００１】
本発明は、固体や粉体や流動性のある内容物などを収納するのに用いられる包装袋の技術分野に属し、詳しくは、開封した状態の袋を封止することができる包装袋に関するものである。
【背景技術】
【０００２】
従来より、内容物の一部をそのまま袋に残して開封箇所を繰り返し封鎖できる包装袋として、ジッパー付き包装袋が多く用いられている。この包装袋は、上辺シール部より内側の部位に開口部を開閉するためのジッパー部を設けるとともに、このジッパー部より開口端側をヒートシールすることで構成されている。収納した内容物を取り出すには、ジッパー部とヒートシール部との間をノッチを取っ掛かりに手で引き裂いたり、はさみやナイフなどの切断具により切断してから、ジッパー部の噛み合いを外して開封する。そして、所定量の内容物を取り出した後は、ジッパー部を閉じることで再封する。
【０００３】
一方、ジッパーを用いないで再封可能な包装袋としては、袋外面に封止ラベルを貼っておくタイプの包装袋が知られている。このラベル付き包装袋では、開封した包装袋を再封するときに、封止ラベルを袋外面から剥がし、袋の開封個所を適当な回数折り曲げ、それを係止するように封止ラベルを貼り付けて再封するようになっている。
【先行技術文献】
【特許文献】
【０００４】
【特許文献１】実開平７−４４７２９号公報
【特許文献２】実開平６−６５２４１号公報
【発明の概要】
【発明が解決しようとする課題】
【０００５】
上記したジッパー付き包装袋は、ジッパーを付けることによるコストアップの問題があり、内容物が例えば粉体の場合だと、ジッパーの嵌合部での粉噛みの影響により嵌合強度が低下するという問題がある。一方、ラベル付き包装袋は、何度も封止操作を繰り返すことにより封止ラベルの接着強度が低下するという問題がある。
【０００６】
また、再封時において、ジッパー付き包装袋の場合は、ジッパーを嵌め合わせる操作が必要であり、ラベル付き包装袋の場合は、袋の開封個所を適当な回数折り曲げてから封止ラベルを貼り付けるという操作が必要であり、いずれも再封のための操作がそれほど簡単ではないという問題点もある。
【０００７】
本発明は、上記のような従来の包装袋が有する問題点に鑑みてなされたものであり、その目的とするところは、簡単な操作で封止することができ、その封止操作を繰り返して行っても当初と同じように何度でも封止することができる包装袋を提供することにある。
【課題を解決するための手段】
【０００８】
上記の目的を達成するため、本発明に係る包装袋は、内面にシーラント層を積層した包装材を製袋して作成され、少なくとも左右両側辺のサイドシール部を有する包装袋であって、表面側又は裏面側のいずれか一方の外面の上辺より内側の位置に左右のサイドシール部に跨がる突出片が設けられており、突出片から下方を本体部分、突出片から上方を折返し部分とし、折返し部分が開口した状態で、突出片の根元を基点として本体部分に対し折返し部分を突出片と反対側に折り返すことで封止が可能であり、折り返したときに対向する折返し部分と本体部分の何れか一方に互いを係止するための粘着手段が設けられていることを特徴とする。
【発明の効果】
【０００９】
本発明の包装袋は、折返し部分が開口下状態で、上辺より内側にある突出片の根元部分を基点として折り返すと、その折り返した部分は突出片があることにより戻りが抑制され、閉じた状態が維持されるので、袋を折り返すという簡単な操作で封止することができ、さらに、折返し部分が本体部分に係止されて浮き上がりが防止されるので、消費者が封止性に疑問を持つようなことを払拭することができる。しかも、ジッパー付き包装袋やラベル付き包装袋では、ジッパーの嵌合力や封止ラベルの粘着力が低下するので、封止操作を繰り返すと封止性が徐々に低下するが、本発明の包装袋の場合、袋を折り返すことにより封止するため、何度封止操作を繰り返しても封止性が低下しない。
【図面の簡単な説明】
【００１０】
【図１】本発明に係る第１実施形態の包装袋の一例を示す斜視説明図である。
【図２】図１のＡ−Ａ線での断面説明図である。
【図３】図１の包装袋を封止した状態を示す斜視説明図である。
【図４】図１の包装袋を封止した状態を図２に対応して示す説明図である。
【図５】第１実施形態の包装袋の変形例を図２に対応して示す説明図である。
【図６】本発明に係る第２実施形態の包装袋の一例を示す斜視説明図である。
【図７】図６のＡ−Ａ線での断面説明図である。
【図８】図６の包装袋を封止した状態を示す斜視説明図である。
【図９】図６の包装袋を封止した状態を図７に対応して示す説明図である。
【図１０】第２実施形態の包装袋の変形例を図７に対応して示す説明図である。
【図１１】第２実施形態の包装袋の変形例を示す斜視説明図である。
【図１２】図１１のＡ−Ａ線での断面説明図である。
【図１３】第２実施形態の包装袋の変形例を図７に対応して示す説明図である。
【図１４】本発明に係る第３実施形態の包装袋の一例を一方側から見た状態で示す斜視説明図である。
【図１５】本発明に係る第３実施形態の包装袋の一例を他方側から見た状態で示す斜視説明図である。
【図１６】突出片のシールパターンの変形例を示す斜視説明図である。
【発明を実施するための形態】
【００１１】
次に、本発明の実施形態について図面を参照しながら詳細に説明する。
【００１２】
〔第１実施形態〕
図１及び図２に示す包装袋１０は平パウチの形態をしており、図示のように、底部で二つ折りした上下サイズが長い方の包装材１１と、上下サイズが短い方の包装材１２とが左右方向の突出片１３で直線状に貼り合わせられ、さらに左右両側辺のサイドシール部１４で直線状に貼り合わせられた構造になっており、左右方向の突出片１３は根元までシールされた状態で、左右両側辺のサイドシール部１４と直交するように形成されている。また、左右のサイドシール部１４には、突出片１３より上方の対応する位置にそれぞれ開封用ノッチ１５が形成されている。そして、突出片１３の有る側とは反対側の面に対し、突出片１３から開封ノッチ１５までの距離より短い距離だけ突出片１３から下方に離れた位置に粘着手段Ｔとして両面テープが取り付けられている。
【００１３】
この包装袋１０の製袋機による製造手順は例えば次のようである。製袋機にて一枚の包装材を搬送しながら、まず、左右の端部を向かい合わせるように搬送し、底部の折りと突出片１３の形成を同時に行う。このとき、突出片１３は根元までシールする。次に、左右のシールを行ってサイドシール部１４を形成した後、開封用ノッチ１５を打ち抜き、続く工程で上辺を切り落として充填口を形成する。次いで、両面テープを貼り付ける工程を行ってから、ギロチン刃にてサイドシール部１４のところで１袋ずつ分離するようにカットする。これにより図１及び図２に示す包装袋１０が製造される。なお、この例では底シールを形成していないが、必要に応じて底シールを形成するようにしてもよい。
【００１４】
図１に示す包装袋１０は、複数枚纏められた状態で充填工程に送られてそこで内容物が充填される。すなわち、上辺の開口から内容物を充填し、その開口を閉じるように図１の点線で示す部位をヒートシールして上辺シール部１６を形成する。このような充填工程を経ることで、包装袋１０は、左右両側辺のサイドシール部１４に加え、上辺シール部１６を有したものとなり、開封用ノッチ１５を取っ掛かりにして包装材を破断することにより、上辺シール部１６より内側の部位に左右のサイドシール部１４に跨がる開口端を形成して開封することができる。また、表面側又は裏面側のいずれか一方の外面に開口端となる部位よりさらに内側の位置で左右のサイドシール部１４に跨がる突出片１３が突き出る状態で設けられたものとなる。
【００１５】
このように内容物が充填された包装袋１０は、開封用ノッチ１５から袋端部を切り取って開封し、内容物を一部だけ取り出した後、簡単に封止することができる。すなわち、突出片１３より下方を本体部分Ｈ、突出片１３から開口端までを折返し部分Ｃとし、突出片１３の根元を基点として本体部分Ｈに対し折返し部分Ｃを突出片１３と反対側に折り返すと、突出片１３があることにより折返し部分Ｃの戻り（折返し部分Ｃが元に戻ろうとする反発）が抑制され、密閉状態で閉じた状態が維持される。そして、両面テープのセパレータを剥がし、本体部分Ｈに対して折返し部分Ｃを押し付けると、図３及び図４に示すように、両面テープの粘着力によって折返し部分Ｃの浮き上がりが防止されることになる。
【００１６】
図１及び図２に示す包装袋１０の変形例を図５に示す。図５は図２に対応したものであり、この図５に示す包装袋１０は、平パウチに突出片１３Ａを後付けしたものである。すなわち、上下に長い包装材１１Ａをシーラント層を内側として二つ折り状態で対向させた後、左右両側辺のサイドシール部で直線状に貼り合わせ、その左右のサイドシール部にそれぞれ開封用ノッチを形成した後、表面側又は裏面側のいずれか一方の外面に開封用ノッチより内側の位置で左右のサイドシール部に跨がる突出片１３Ａを突き出る状態で貼り付けている。この突出片１３Ａは矩形状の包装材からなり、Ｔ字型に折り曲げて対向している部分をホットメルトで貼り合わせた後、包装袋１０にホットメルトにて取り付ける。ホットメルトに限らず接着剤やヒートシールで取り付けてもよい。また、この例では、左右のサイドシール部に跨がるように突出片１３Ａを後付けしているが、サイドシール部より内側に取り付けるようにしてもよい。
【００１７】
〔第２実施形態〕
図６及び図７に示す包装袋２０はスタンディングパウチの形態をしており、図示のように、底部でＷ折りした上下サイズが長い方の包装材２１と、上下サイズが短い方の包装材２２とが左右方向の突出片２３で直線状に貼り合わせられ、さらに左右両側辺のサイドシール部２４で直線状に貼り合わせられた構造になっており、左右方向の突出片２３は根元までシールされた状態で、左右両側辺のサイドシール部２４と直交するように形成されている。また、左右のサイドシール部２４には、突出片２３より上方の対応する位置にそれぞれ開封用ノッチ２５が形成されている。そして、突出片２３の有る側とは反対側の面に対し、突出片２３から開封ノッチ２５までの距離より短い距離だけ突出片２３から下方に離れた位置に粘着手段Ｔとして両面テープが取り付けられている。
【００１８】
この包装袋２０の製袋機による製造手順は例えば次のようである。製袋機にて一枚の包装材を搬送し、まず左右の端部を向かい合わせ突出片２３の形成を行う。次に、スタンディングパウチの底部両端を表裏で貼り合わせるのに必要な底孔ａを形成するためのパンチ孔加工を行ってから底部の折りを行う。次いで、放物線状の底シールと直線状のサイドシールを行って底シール部２６とサイドシール部２４を形成した後、続く工程で開封用ノッチ２５を打ち抜き、上辺を切り落として充填口を形成する。次いで、両面テープを貼り付ける工程を行ってから、ギロチン刃にてサイドシール部２４のところで１袋ずつ分離するようにカットする。これにより図６及び図７に示す包装袋２０が製造される。
【００１９】
図６に示す包装袋２０は、複数枚纏められた状態で充填工程に送られてそこで内容物が充填される。すなわち、上辺の開口から内容物を充填し、その開口を閉じるように図６の点線で示す部位をヒートシールして上辺シール部２７を形成する。このような充填工程を経ることで、包装袋２０は、左右両側辺のサイドシール部２４と底シール部２６に加え、上辺シール部２７を有したものとなり、開封用ノッチ２５を取っ掛かりにして包装材を破断することにより、上辺シール部２７より内側の部位に左右のサイドシール部２４に跨がる開口端を形成して開封することができる。また、表面側又は裏面側のいずれか一方の外面に開口端となる部位よりさらに内側の位置で左右のサイドシール部２４に跨がる突出片２３が突き出る状態で設けられたものとなる。
【００２０】
このように内容物が充填された包装袋２０は、開封用ノッチ２５から袋端部を切り取って開封し、内容物を一部だ．取り出した後、簡単に封止することができる。すなわち、突出片２３より下方を本体部分Ｈ、突出片２３から開口端までを折返し部分Ｃとし、突出片２３の根元を基点として本体部分Ｈに対し折返し部分Ｃを突出片２３と反対側に折り返すと、突出片２３があることにより折返し部分Ｃの戻り（折返し部分Ｃが元に戻ろうとする反発）が抑制され、密閉状態で閉じた状態が維持される。そして、両面テープのセパレータを剥がし、本体部分Ｈに対して折返し部分Ｃを押し付けると、図８及び図９に示すように、両面テープの粘着力によって折返し部分Ｃの浮き上がりが防止されることになる。このように、スタンディングパウチの形態とした場合は、開封した後に形成される開口が床面から離れているため衛生的である。
【００２１】
図６及び図７に示す包装袋２０は、２枚の包装材２１，２２からなる構造としたが、図１０に示すような４枚の包装材からなる構造としてもよい。すなわち、表裏の一方側が上下サイズの長い包装材２１Ａからなるとともに、表裏の他方側が上下サイズの短い２つの包装材２１Ｂ，２２からなっており、他方側の２つの包装材２１Ｂ，２２が突出片２３で直線状に貼り合わされた状態で一方側の包装材２１Ａと相対している。そして、相対する表裏の包装材（包装材２１Ａと包装材２１Ｂ，２２）の間に、断面が逆Ｖ字形をした包装材２１Ｃを介在させて、底シール部２６で放射線状に貼り合わせ、かつ左右両側辺のサイドシール部２４で直線状に貼り合わせた構造としている。
【００２２】
図６及び図７に示す包装袋２０の変形例を図１１及び図１２に示す。この包装袋２０は、スタンディングパウチの形態をしている点では同じであるが、底部でＷ折りした長い包装材２１と、下端が折り返された短い包装材２２が左右両側辺のサイドシール部２４と直交する突出片２３で貼り合わせられており、底部がシールされるのではなくＷ折りされた点が異なる。この包装袋２０は内容物を充填すると底部が膨らむので、図６及び図７に示す包装袋２０よりも内容量が多くなる。この底部がＷ折りされたスタンディングパウチを製造するに際しては、底シールを行う工程に代えて、プレートを挿入して底折込部を形成すればよい。
【００２３】
図６及び図７に示す包装袋２０の変形例を図１３に示す。図１３は図７に対応したものであり、この包装袋２０は、スタンディングパウチに突出片２３Ａを後付けしたものである。すなわち、表面側と裏面側の包装材をシーラント層を内側として対向させ、その間に逆Ｖ字形をした包装材を介在させて、底シール部２６で放物線状に貼り合わせ、かつ左右両側辺のサイドシール部で直線状に貼り合わせ、その左右のサイドシール部にそれぞれ開封用ノッチを形成した後、表面側又は裏面側のいずれか一方の外面に開封用ノッチより内側の位置で左右のサイドシール部に跨がる突出片２３Ａを突き出る状態で貼り付けている。この突出片２３Ａは矩形状の包装材からなり、Ｔ字型に折り曲げて対向している部分をホットメルトで貼り合わせた後、包装袋２０にホットメルトにて取り付ける。ホットメルトに限らず接着剤やヒートシールで取り付けてもよい。また、この例では、左右のサイドシール部に跨がるように突出片２３Ａを後付けしているが、サイドシール部より内側に取り付けるようにしてもよい。
【００２４】
〔第３実施形態〕
図１４及び図１５に示す包装袋３０は、底部及び両側部にひだを有するガゼット袋の形態をしており、充填された内容物を取り出すに際し、はさみで上部を切り取って開口を形成するタイプである。
【００２５】
包装袋３０は、表裏の他方側が上下サイズの長い包装材３１からなり、表裏の一方側が上下サイズの短い２つの包装材３２Ａ，３２Ｂからなっており、一方側の包装材３２Ａ，３２Ｂが左右方向の突出片３３で直線状に貼り合わされた状態で他方側の包装材３１と相対し、その相対する表裏の包装材（包装材３１と包装材３２Ａ，３２Ｂ）の間に、断面が逆Ｖ字状をした３つの包装材、すなわち底部に包装材３４と両側部にそれぞれ包装材３５を介在させて、底部の包装材３４を底辺に添った底シール部３６で直線状に貼り合わせるとともに、両側部の包装材３５をそれぞれ左右両側辺のサイドシール部３７で直線状に貼り合わせ、さらに、底部の包装材３４の左右端縁と側部の包装材３５の下端縁を貼り合わせて、側部の包装材３５の下部を底部の包装材３４の折りに合わせて折り込んだ構造をしており、左右方向の突出片３３は根元までシールされた状態で、左右両側辺のサイドシール部３７と直交するように形成されている。そして、突出片３３の有る側とは反対側の面である他方側の包装材３１の外面には、突出片３３から切取り予定線までの距離より短い距離だけ突出片３３から下方に離れた位置に粘着手段Ｔとして両面テープが取り付けられている。
【００２６】
このタイプの包装袋３０は、上辺の開口から内容物を充填し、その開口を閉じるように図１４及び図１５の点線で示す部位をヒートシールして上辺シール部３８を形成する。このような充填工程を経ることで、包装袋３０は、左右両側辺のサイドシール部３７と底シール部３６に加え、上辺シール部３８を有したものとなり、はさみで上辺シール部３８を切り取ることにより、上辺シール部３８より内側の部位に左右のサイドシール部３７に跨がる開口端を形成して開封することができる。そして、表面側又は裏面側のいずれか一方の外面に開口端となる部位よりさらに内側の位置で左右のサイドシール部３７に跨がる突出片３３が突き出る状態で設けられたものとなる。
【００２７】
このように内容物が充填された包装袋３０は、はさみで上辺シール部３８を切り取って開封し、内容物を一部だけ取り出した後、簡単に封止することができる。すなわち、突出片３３より下方を本体部分、突出片３３から開口端までを折返し部分とし、突出片３３の根元部分を基点として本体部分に対し折返し部分を突出片３３と反対側に折り返すと、突出片３３があることにより折返し部分の戻り（折返し部分が元に戻ろうとする反発）が抑制され、密閉状態で閉じた状態が維持される。そして、両面テープのセパレータを剥がし、本体部分に対して折返し部分を押し付けると、両面テープの粘着力によって折返し部分の浮き上がりが防止されることになる。
【００２８】
このように、底部と両側部にひだ（ガセット）のある形態とした場合は、開口を長方形あるいは正方形として大きく広げることができるので、内容物を充填しやすい、あるいは内容物を取り出しやすいという利点がある。また、立てて置けるので、開封した後に形成される開口が床面から離れているため衛生的である。
【００２９】
〔他の実施形態〕
以上、本発明を実施するための形態について詳細に説明してきたが、本発明による包装袋は、上記の実施形態に何ら限定されるものではなく、本発明の趣旨を逸脱しない範囲において種々の変更が可能であることは当然のことである。
【００３０】
例えば、第１〜第３実施形態の包装袋では、左右のサイドシール部に跨がる突出片について、重なる包装材を根元までシールすることで形成しているが、図１６に例示するようなシールパターンで形成してもよい。
【００３１】
図１６は第１実施形態の包装袋１０をベースに突出片１３についてそのシールパターンの変形例を示したものであり、（ａ）は左右のサイドシール部１４に跨がって根元部分だけを細くシールしたパターン、（ｂ）は左右のサイドシール部１４に跨がってシールしてはいるが、中央付近のみを根元までシールし、その両側は根元部分を空けてシールしたパターン、（ｃ）は左右のサイドシール部１４に跨がってシールしてはいるが、中央付近の根元部分のみを空け、その両側を根元までシールしたパターンである。このように突出片の少なくとも根元部分がシールされていれば、袋を折り返したときに突出片があることにより戻りが抑制される。ただし、根元部分をシールする領域が多いほど、折り返した部分が元に戻ろうとする反発を抑制できるため、封止効果を高めることができる。
【００３２】
また、第１〜第３実施形態の包装袋では、粘着手段である両面テープを本体部分の方に取り付けているが、折返し部分の方に取り付けても構わない。すなわち、折り返したときに対向する折返し部分と本体部分の何れか一方に互いを係止するための粘着手段が設けられていればよいものである。また、包装袋の幅方向全体に渡って設けなくてもよく、内容物や用途などに応じて適宜の長さを選択すればよい。
【００３３】
〔包装材〕
本発明の包装袋に用いる包装材としては、主にプラスチックを主体とする積層フィルムが用いられ、簡単な構成では、基材フィルム層にシーラント層を積層した構成の積層フィルムが用いられるが、袋に充填される内容物や、充填後の取扱い条件、或いは、水蒸気その他のガスバリヤー性、遮光性、各種の機械的強度など必要とされる性能に応じて、基材フィルム層とシーラント層との間などに、例えば、中間層として、水蒸気その他のガスバリヤー層、遮光層、強度向上層などを積層した構成の積層フィルムを使用する。
【００３４】
上記基材フィルム層や水蒸気その他のガスバリヤー層、遮光層、強度向上層などの中間層、シーラント層などは、それぞれ単独の層で形成してもよいが、複数の層を積層して形成してもよい。
【００３５】
前記基材フィルム層には、ポリエチレンテレフタレート（ＰＥＴ）、ポリエチレンナフタレートなどのポリエステルの二軸延伸フィルムのほか、ナイロン６、ナイロン６６、ＭＸＤ６（ポリメタキシリレンアジパミド）などのポリアミドの二軸延伸フィルム、そして、二軸延伸ポリプロピレンフィルム（ＯＰＰ）などを好適に使用することができる。
【００３６】
前記ガスバリヤー層としては、エチレン・酢酸ビニル共重合体ケン化物（ＥＶＯＨ）、ポリ塩化ビニリデン（ＰＶＤＣ）、ポリアクリロニトリル（ＰＡＮ）などのフィルムのほか、アルミニウム箔（ＡＬ）、或いは、シリカ、アルミナ、アルミニウムなどの蒸着層やＰＶＤＣの塗膜層を設けた二軸延伸ナイロンフィルム（ＯＮフィルム）、シリカ、アルミナ、アルミニウムなどの蒸着層を設けたポリエチレンテレフタレート（ＶＭＰＥＴ）、二軸延伸ポリエチレンテレフタレートフィルム（ＰＥＴフィルム）、二軸延伸ポリプロピレンフィルム（ＯＰＰフィルム）などを使用することができる。これらのうち、アルミニウム箔またはアルミニウム蒸着層を設けたフィルムは、不透明であるため遮光層を兼ねることもできる。
【００３７】
前記強度向上層としては、前記基材フィルムのいずれかを適宜追加積層してもよく、二軸延伸高密度ポリエチレンフィルムなどを防湿層を兼ねて積層することもできる。
【００３８】
また、中間層に易引き裂き性の一軸延伸ポリプロピレンフィルム、一軸延伸高密度ポリエチレン、易引き裂き性二軸延伸ポリエステルフィルム（「エンブレット」ＰＣ（ＭＤ方向に易引き裂き性）、ユニチカ（株）製）などを、その延伸方向が袋を開封する際の引き裂き方向と一致するように積層することにより、易開封性手段として、引き裂きを容易にし、かつ、その方向性を安定化させることができる。
【００３９】
前記基材フィルム層とガスバリヤー層、遮光層、強度向上層などの中間層との積層には、公知のドライラミネーション法または押し出しラミネーション法（サンドイッチラミネーション法）を用いることができる。
【００４０】
前記シーラント層には、低密度ポリエチレン（ＬＤＰＥ）、直鎖状低密度ポリエチレン（ＬＬＤＰＥ）のほか、エチレン・αオレフィン共重合体、エチレン・酢酸ビニル共重合体、エチレン・アクリル酸共重合体、エチレン・アクリル酸エステル共重合体・アイオノマー、ポリプロピレン（ＣＰＰ）、シリカ、アルミナ、アルミニウムなどの蒸着層を設けたポリプロピレン（ＶＭＣＰＰ）またはその共重合体などを使用することができる。
【００４１】
シーラント層の積層は、上記の樹脂をフィルム状に製膜し、ドライラミネーション法または押し出しラミネーション法で積層する方法、或いは、上記の樹脂を押し出しコートして積層する方法などを採ることができる。ただし、内容物がシーラント層に浸透しやすいものの場合は、ドライラミネーション法で積層することが好ましい。
【００４２】
このようなプラスチックを主体とする積層フィルムの具体例として代表的には次の層構成からなる包装材を挙げることができる。下記１）〜10）はドライラミネーション法による積層フィルムであり、各層は接着剤で貼り合わされる。なお、（  ）内の値は各層の厚みを示す。
【００４３】
１）ＰＥＴ（12μｍ）／ＣＰＰ（30〜 150μｍ）
２）ＰＥＴ（12μｍ）／ＬＬＤＰＥ（30〜 150μｍ）
３）ＰＥＴ（12μｍ）／ＶＭＰＥＴ（12μｍ）／ＬＬＤＰＥ（30〜 150μｍ）
４）ＰＥＴ（12μｍ）／ＶＭＰＥＴ（12μｍ）／ＣＰＰ（30〜 150μｍ）
５）ＰＥＴ（12μｍ）／ＡＬ（ 6〜 7μｍ）／ＬＬＤＰＥ（30〜 150μｍ）
６）ＯＰＰ（20μｍ）／ＣＰＰ（30〜 150μｍ）
７）ＯＰＰ（20μｍ）／ＬＬＤＰＥ（30〜 150μｍ）
８）ＯＰＰ（20μｍ）／ＶＭＣＰＰ（30〜 150μｍ）
９）ＶＭＰＥＴ（12μｍ）／ＣＰＰ（30〜 150μｍ）
10）ＰＥＴ（12μｍ）／ＡＬ（ 6〜 7μｍ）／ＣＰＰ（30〜 150μｍ）
【００４４】
本発明の包装袋に用いる包装材としては、上記のようなプラスチックを主体とする積層フィルムのほか、層構成に紙を有する包装材を用いることもできる。このような紙を積層したものとしては次の層構成からなる包装材を挙げることができる。紙はプラスチックに比べて反発力が低いため、プラスチックのみで構成される場合に比べて封止効果を高めることができる。下記１）〜４）はドライラミネーション法による積層フィルムであり、各層は接着剤で貼り合わされる。下記５）〜11）は押出しラミネーション法による積層フィルムであり、ＰＥ（ポリエチレン）は接着層の役割を果たす。なお、（  ）内の値は各層の厚みを示す。
【００４５】
１）紙（30〜60ｇ／ｍ2 ）／ＣＰＰ（30〜 150μｍ）
２）紙（30〜60ｇ／ｍ2 ）／ＬＬＤＰＥ（30〜 150μｍ）
３）紙（30〜60ｇ／ｍ2 ）／ＡＬ（ 6〜 7μｍ）／ＣＰＰ（30〜 150μｍ）
４）紙（30〜60ｇ／ｍ2 ）／ＡＬ（ 6〜 7μｍ）／ＬＬＤＰＥ（30〜 150μｍ）
５）紙（30〜60ｇ／ｍ2 ）／ＰＥ（15〜30μｍ）／ＡＬ（ 6〜 7μｍ）／ＰＥ（15〜30μｍ）
６）紙（30〜60ｇ／ｍ2 ）／ＰＥ（15〜30μｍ）／ＡＬ（ 6〜 7μｍ）／ＰＥ（15〜30μｍ）／ＣＰＰ（30〜 150μｍ）
７）紙（30〜60ｇ／ｍ2 ）／ＰＥ（15〜30μｍ）／ＡＬ（ 6〜 7μｍ）／ＰＥ（15〜30μｍ）／ＬＬＤＰＥ（30〜 150μｍ）
８）ＰＥＴ（12μｍ）／ＰＥ（15〜30μｍ）／紙（30〜60ｇ／ｍ2 ）／ＰＥ（15〜30μｍ）／ＡＬ（ 6〜 7μｍ）／ＰＥ（15〜30μｍ）
９）ＰＥＴ（12μｍ）／ＰＥ（15〜30μｍ）／紙（30〜60ｇ／ｍ2 ）／ＰＥ（15〜30μｍ）／ＡＬ（ 7μｍ）／ＰＥ（15〜30μｍ）／ＣＰＰ（30〜 150μｍ）
10）ＰＥＴ（12μｍ）／ＰＥ（15〜30μｍ）／紙（30〜60ｇ／ｍ2 ）／ＰＥ（15〜30μｍ）／ＡＬ（ 6〜 7μｍ）／ＰＥ（15〜30μｍ）／ＬＬＤＰＥ（30〜 150μｍ）
11）ＰＥＴ（12μｍ）／ＰＥ（15〜30μｍ）／ＶＭＰＥＴ（12μｍ）／ＰＥ（15〜30μｍ）／ＬＬＤＰＥ（30〜 150μｍ）
【００４６】
〔粘着手段〕
本発明の包装袋に用いる粘着手段としては、通常の両面テープ（帯状の基材の両面に粘着剤が塗られており、巻物状としたもの）でもよいが、ノンキャリアタイプの粘着テープを用いるのが好ましい。ノンキャリアタイプの粘着テープは、重セパレータ、粘着層、軽セパレータの順に積層された積層体であり、本発明では、軽セパレータを剥がして包装袋に粘着することになり、一番最初に封止するときには、重セパレータを剥がして、粘着層と折返し部分あるいは本体部分を貼り合わせるようにする。
【００４７】
ノンキャリアタイプの粘着テープに用いる粘着剤の構成材料としては、例えば、天然ゴム系、合成ゴム系、アクリル樹脂系、シリコーン樹脂系、ポリエステル樹脂系等が挙げられる。合成ゴム系の具体例としては、スチレン−ブタジエンゴム、アクリロニトリル−ブタジエンゴム、ポリイソブチレンゴムが挙げられる。これらの粘着剤は、１種単独で又は２種以上を組み合わせて用いることができる。
【００４８】
好適に用いられる粘着剤としては、アクリル樹脂系が挙げられる。アクリル樹脂系粘着剤は、少なくとも（メタ）アクリル酸アルキルエステルモノマーを含んで重合させたものである。炭素原子数１〜１８程度のアルキル基を有する（メタ）アクリル酸アルキルエステルモノマーとカルボキシル基を有するモノマーとの共重合体や、炭素原子数１〜１８程度のアルキル基を有する（メタ）アクリル酸アルキルエステルモノマーの２種以上を用いた共重合体であるのが一般的である。なお、（メタ）アクリル酸とは、アクリル酸及び／又はメタクリル酸をいう。
【００４９】
ここで使用される（メタ）アクリル酸アルキルエステルモノマーの例としては、（メタ）アクリル酸メチル、（メタ）アクリル酸エチル、（メタ）アクリル酸ｎ−プロピル、（メタ）アクリル酸ｎ−ブチル等を挙げることができる。
【００５０】
ノンキャリアタイプの粘着テープに用いるセパレータは、基材シートの一方の面に離型剤層が積層されている。基材シートは、通常粘着剤層の支持体として使用できるものであれば何れでもよく、例えば、ポリエチレンテレフタレート、ポリブチレンテレフタレート、ポリエチレンナフタレート、テレフタル酸−イソフタル酸−エチレングリコール共重合体、テレフタル酸−シクロヘキサンジメタノール−エチレングリコール共重合体などのポリエステル系樹脂、ナイロン６などのポリアミド系樹脂、ポリプロピレン、ポリメチルペンテン、シクロオレフィン重合体などのポリオレフィン系樹脂、上質紙、パーチメント紙、硫酸紙などの紙等が挙げられる。なお、これらの樹脂は、単独、又は複数種類の混合樹脂（ポリマーアロイを含む）として用いられ、基材シートの層構成は、以上の材料層の単層、又は２層以上の積層体として用いられる。
【００５１】
基材シートの厚みは特に限定されないが、１０〜１００μｍが好ましい。また、基材シートと離型剤層との接着性を向上させるため、必要に応じて基材表面にコロナ放電処理、プラズマ処理、プライマーコート、脱脂処理、表面粗面化処理等の易接着性処理を行うこともできる。
【００５２】
セパレータの離型剤層は粘着剤層に対して離型性（剥離性）の材料により形成することができる。例えば、フッ素系樹脂、パラフィンワックス、モンタンワックス、合成ワックス等のワックス類や、ポリシロキサン、シリコーン等の珪素系樹脂、メラミン系樹脂、ポリオレフィン系樹脂、多官能アクリレート、エポキシ樹脂等の離型剤を単体で、或いはこれをアクリル樹脂、セルロース系樹脂又はビニル系樹脂等の樹脂バインダー中に添加して塗工液を調製し、その塗工液を離型シート用基材に塗布して乾燥し、或いは架橋乃至重合させて離型剤層を形成することにより行うことができる。また、上記の樹脂をエクストルージョンコート等により離型シート用基材にラミネートして離型剤等を形成することにより行うこともできる。
【００５３】
また、本発明の包装袋に用いる粘着手段は、リワーク性（繰り返し剥がしたり、貼り合わせたりできること）を有することが必要であり、そのためには，粘着剤の架橋密度を高める（主剤に対する硬化剤の配合比率を高くする）、あるいは、粘着剤の主剤の分子量を高くすることが有効である。
【００５４】
粘着手段の粘着力は、封止状態では折返し部分が剥がれないとともに、内容物を取り出す際には本体部分から折返し部分を剥がせる接着強度を有する必要がある。剥離強度で言えば、１〜１０Ｎ／２５ｍｍ幅が好ましく、３〜１０Ｎ／２５ｍｍ幅がさらに好ましい。ここで言う剥離強度は、幅２５ｍｍ、長さ１５０ｍｍの粘着テープを用い、「ＪＩＳ  Ｚ０２３７」に準じて、オリエンテック製のテンシロン引張試験機により３００ｍｍ／ｍｉｎ、１８０度で剥がした時の剥離強度を測定したものである。
【００５５】
本発明の包装袋に用いる粘着手段の幅ｗは、５〜２５ｍｍとすることが好ましく、１０〜１５ｍｍとすることがさらに好ましい。幅が５ｍｍより狭い場合は本体部分と折返し部分が剥がれ易くなり、幅が２５ｍｍより広い場合は本体部分と折返し部分を剥がし難くなるため、好ましくない。そして、前記したように、包装袋の幅方向全体に渡って設けなくてもよく、内容物や用途などに応じて適宜の長さを選択すればよいものである。
【実施例１】
【００５６】
グミや飴などの食品を収納するための包装袋を作成した。ここでは、包装材として層構成が「ＰＥＴ（12μｍ）／ＣＰＰ（60μｍ）」からなる積層フィルム及びノンキャリアタイプの粘着テープを用いて図１に示す平パウチを作成し、この平パウチの開口から中にグミを充填し、ヒートシールにより上辺シール部を閉じた。
【００５７】
この包装袋を開封して中のグミを少量だけ取り出し、開口端より内側にある突出片の根元部分を基点として袋を上下に折り返した後、粘着テープの重セパレータを剥がして本体部分に対して折返し部分を押し付けることにより、折返し部分の浮き上がりが防止されるとともに、密閉状態で閉じた状態が良好に維持された。
【実施例２】
【００５８】
粉末食品（粉末みそ汁）を収納するための包装袋を作成した。ここでは、包装材として層構成が「ＰＥＴ（12μｍ）／ＡＬ（ 7μｍ）／ＬＬＤＰＥ（60μｍ）」及びノンキャリアタイプの粘着テープを用いて図６に示すスタンディングパウチを作成し、このスタンディングパウチの開口から中に粉末食品を充填し、ヒートシールにより上辺シール部を閉じた。
【００５９】
この包装袋を開封して中の粉末食品を少量だけ取り出し、開口端より内側にある突出片の根元部分を基点として袋を上下に折り返した後、粘着テープの重セパレータを剥がして本体部分に対して折返し部分を押し付けることにより、折返し部分の浮き上がりが防止されるとともに、密閉状態で閉じた状態が良好に維持された。
【産業上の利用可能性】
【００６０】
本発明の包装袋は、内容物として固体や粉体などの乾燥を嫌う物質を収納するタイプの包装袋であることに限るものではなく、流動性のある内容物であってもよい。また、上記した以外の３方シール袋、四方シール袋などにも広く適用できる。
【００６１】
また、本発明の包装袋は、上辺シール部及び開封用ノッチを形成せず、上辺が開口した包装袋であってもよく、例えば残った食べ物や材料を保存するときの入れ物として使用することができる。
【符号の説明】
【００６２】
１０  包装袋
１１，１２  包装材
１３，１３Ａ  突出片
１４  サイドシール部
１５  開封用ノッチ
１６  上辺シール部
２０  包装袋
２１，２１Ａ，２１Ｂ，２１Ｃ，２２  包装材
２３，２３Ａ  突出片
２４  サイドシール部
２５  開封用ノッチ
２６  底シール部
２７  上辺シール部
３０  包装袋
３１，３２Ａ，３２Ｂ  包装材
３３  突出片
３４，３５  包装材
３６  底シール部
３７  サイドシール部
３８  上辺シール部
Ｃ  折返し部分
Ｈ  本体部分
Ｔ  粘着手段
ｗ  粘着手段の幅
【図１】
2013230858.tif 000003
【図２】
2013230858.tif 000004
【図３】
2013230858.tif 000005
【図４】
2013230858.tif 000006
【図５】
2013230858.tif 000007
【図６】
2013230858.tif 000008
【図７】
2013230858.tif 000009
【図８】
2013230858.tif 000010
【図９】
2013230858.tif 000011
【図１０】
2013230858.tif 000012
【図１１】
2013230858.tif 000013
【図１２】
2013230858.tif 000014
【図１３】
2013230858.tif 000015
【図１４】
2013230858.tif 000016
【図１５】
2013230858.tif 000017
【図１６】
2013230858.tif 000018